(57)【要約】【課題】射精効率を上げることができる射精促進装置を提供する。【解決手段】射精促進装置１は、樹脂により伸縮可能な筒状に形成されて前面にペニスの挿入口４２３ｂが設けられたマッサージ部４２と、前面が開口した中空状に形成されて当該前面から内部にマッサージ部４２を収容する収容体２１と、マッサージ部４２の前部側を収容体２１に固定する固定手段５と、固定手段５により前部側が収容体２１に固定されたマッサージ部４２を前後方向Ａに伸縮させる駆動手段とを備えている。【選択図】図１
2014004292.tif 000002
【特許請求の範囲】
【請求項１】
樹脂により伸縮可能な筒状に形成されて前面にペニスの挿入口が設けられたマッサージ部と、
前面が開口した中空状に形成されて当該前面から内部に前記マッサージ部を収容する収容体と、
前記マッサージ部の前部側を前記収容体に固定する固定手段と、
前記固定手段により前部側が前記収容体に固定された前記マッサージ部を前後方向に伸縮させる駆動手段と
を備えることを特徴とする射精促進装置。
【請求項２】
請求項１に記載の射精促進装置において、
前記固定手段は、前記マッサージ部の前部側を前後方向に任意に伸縮させて前記収容体に固定するものであることを特徴とする射精促進装置。
【請求項３】
請求項１または請求項２に記載の射精促進装置において、
前面が開口した筒状に形成されて前記マッサージ部を当該前面から内部に収容して前記マッサージ部の後部側を固定するケースを備え、当該ケースは前記収容体の前記前面から内部に収容されて固定され、前記駆動手段は当該ケースを前後方向に往復移動させて前記マッサージ部を前後方向に伸縮させることを特徴とする射精促進装置。
【請求項４】
請求項３に記載の射精促進装置において、
前記マッサージ部の前部側は前記固定手段に着脱自在に固定され、前記固定手段は前記収容体に着脱自在に固定され、前記ケースは前記収容体に着脱自在に固定されることを特徴とする射精促進装置。
【請求項５】
請求項４に記載の射精促進装置において、
前記駆動手段は、前面が開口した筒状に形成されて前記収容体の内部に配置され、且つ、当該前面から前記ケースを内部に着脱自在に収容する筒体を備え、当該筒体を前後方向に往復移動させることにより前記ケースを前後方向に往復移動させることを特徴とする射精促進装置。
【請求項６】
請求項１〜請求項５のいずれか１項に記載の射精促進装置において、
駆動時に前記マッサージ部で伸縮する部分に、前後方向に折り曲げられた折曲部を形成したことを特徴とする射精促進装置。
【発明の詳細な説明】
【技術分野】
【０００１】
本発明は、射精促進装置に関し、特に医学的な研究、治療のための要請や、性犯罪防止、売春防止、及び性病の蔓延防止等の社会的な要請に基づいて従来から使用されてきた射精促進装置の改良に関するものである。
【背景技術】
【０００２】
従来より、夫婦間の不妊の原因を究明するために、採取した精子から夫の性機能を検査したり、性機能障害を治療したり、人工授精のために精子を確保、保管する等の医学的な必要性のために射精促進装置が使用されている。
【０００３】
また、個人的な性的欲求を解消させることによる性犯罪の予防、売春防止、性病感染者数の減少等の種々の社会的なニーズを満たすために射精促進装置が使用されている。
【０００４】
射精促進装置としては、手動式の射精促進装置が提案されている（例えば特許文献１参照）。この手動式の射精促進装置は、容器内にペニスを挿入し、使用者が容器を前後方向に動かしてペニスを摺擦してマッサージすることにより射精を促進させ、さらに精液を回収するものである。
【０００５】
また、身体的な状況等により手動式の射精促進装置の使用が困難な場合は、機械式の射精促進装置が使用されている。従来の機械式の射精促進装置は、一般的に、樹脂により中空状に形成されて前面にペニスの挿入口が設けられたマッサージ部と、前面が開口した中空状に形成されてマッサージ部を収容する収容体と、マッサージ部を前後方向に移動させる駆動手段とを備えている。
【０００６】
この機械式の射精促進装置を使用するときには、ペニスをマッサージ部の挿入口から内部に挿入して駆動手段を駆動する。これにより、マッサージ部が前後方向に移動してペニスのマッサージが行われる。
【先行技術文献】
【特許文献】
【０００７】
【特許文献１】特許第４５９４１７２号公報
【発明の概要】
【発明が解決しようとする課題】
【０００８】
しかしながら、従来の機械式の射精促進装置ではマッサージ部が前後方向に移動するため、マッサージ部が後方へ移動したときにはペニスの一部がマッサージ部から出てしまい、ペニス全体を安定してマッサージすることができない。したがって、射精に時間を要してしまい、射精効率が良くなかった。
【０００９】
本発明は、このような従来の課題に鑑みてなされたものであり、射精効率を上げることができる射精促進装置を提供することを目的とする。
【課題を解決するための手段】
【００１０】
本発明者等は、鋭意研究の結果、前記課題を解決するために以下のような射精促進装置を採用した。
【００１１】
本発明の射精促進装置は、樹脂により伸縮可能な筒状に形成されて前面にペニスの挿入口が設けられたマッサージ部と、前面が開口した中空状に形成されて当該前面から内部に前記マッサージ部を収容する収容体と、前記マッサージ部の前部側を前記収容体に固定する固定手段と、前記固定手段により前部側が前記収容体に固定された前記マッサージ部を前後方向に伸縮させる駆動手段とを備えることを特徴としている。
【００１２】
また、本発明の射精促進装置では、固定手段は、マッサージ部の前部側を前後方向に任意に伸縮させて収容体に固定するものが好ましい。
【００１３】
また、本発明の射精促進装置では、前面が開口した筒状に形成されてマッサージ部を当該前面から内部に収容してマッサージ部の後部側を固定するケースを備えても良い。このケースは収容体の前面から内部に収容されて固定され、駆動手段は当該ケースを前後方向に往復移動させてマッサージ部を前後方向に伸縮させることが好ましい。
【００１４】
また、本発明の射精促進装置では、マッサージ部の前部側は固定手段に着脱自在に固定され、固定手段は収容体に着脱自在に固定され、ケースは収容体に着脱自在に固定されることが好ましい。
【００１５】
また、本発明の射精促進装置では、駆動手段が、前面が開口した筒状に形成されて収容体の内部に配置され、且つ、当該前面からケースを内部に着脱自在に収容する筒体を備え、当該筒体を前後方向に往復移動させることによりケースを前後方向に往復移動させることが好ましい。
【００１６】
また、本発明の射精促進装置では、駆動時にマッサージ部で伸縮する部分に、前後方向に折り曲げられた折曲部を形成しても良い。
【発明の効果】
【００１７】
本発明の射精促進装置では、マッサージ部の前部側を固定手段により収容体に固定したので、駆動時にマッサージ部は前部側が固定された状態で前後方向に伸縮する。このため、マッサージ部の内部にペニスを挿入してもペニスの一部がマッサージ部から出てしまうことがない。したがって、ペニス全体を安定してマッサージすることができ、射精に要する時間を短縮することが可能になる。よって、本発明の射精促進装置は、射精効率を上げることができる。
【図面の簡単な説明】
【００１８】
【図１】本発明の一実施の形態を示す射精促進装置の斜視図である。
【図２】同実施の形態の射精促進装置の装置本体を中心とした縦断面図である。
【図３】同実施の形態の射精促進装置の下カバーを外した状態の斜視図である。
【図４】同実施の形態の射精促進装置の駆動手段の動作を示す図である。
【図５】同実施の形態の射精促進ユニットの斜視図である。
【図６】同実施の形態の射精促進ユニットの断面図である。
【図７】同実施の形態の射精促進装置のマッサージ部の伸縮動作を示す図である。
【図８】同実施の形態の射精促進装置のマッサージ部の長さ調整を示す図である。
【発明を実施するための形態】
【００１９】
以下、本発明の実施の形態を図にしたがって説明する。
【００２０】
図１は、本発明の一実施の形態を示す射精促進装置１の斜視図である。この射精促進装置１は機械式であり、ペニスを内部に挿入してマッサージを機械的に行うことにより射精を促進させるものである。この射精促進装置１は、装置本体２と、装置本体２の前端部に装着された射精促進ユニット３とを備えている。
【００２１】
図２は、射精促進装置１の装置本体２を中心とした縦断面図である。最初に装置本体２について説明する。装置本体２は、収容体２１と、収容体２１の内部２１ａの前部に配置されたホルダー２２と、ホルダー２２内を挿通して収容体２１内に配置された駆動手段２３とを備えている。
【００２２】
収容体２１は、前面が開口した中空状に形成されている。この収容体２１は、上カバー２１１と、上カバー２１１の下面に結合された下カバー２１２とを備えている。上カバー２１１は前端から後方側へ向けて切り欠かれており、切り欠かれた部分にはクリアパネル２１３が嵌めこまれている。
【００２３】
図３は、射精促進装置１の下カバー２１２を外した状態の斜視図である。図３に示すようにホルダー２２はリング状に形成されている。また、図２に示すように、ホルダー２２は収容体２１の前端部の内周面に固定されている。ホルダー２２の前端面には全周にわたって凹部２２ａが設けられている。
【００２４】
図２に示すように、駆動手段２３は、収容体２１の内部２１ａの前部に配置された往復部材２４と、収容体２１の内部２１ａの後部に配置されて往復部材２４を前後方向Ａに往復移動させる駆動手段本体２５とを備えている。なお前後方向Ａとは、ペニス（図示せず）の挿入方向とその反対方向である。
【００２５】
往復部材２４は、筒体２４１と、筒体２４１の後端下部に結合した接続部２４２とを備えている。
【００２６】
筒体２４１は、前面が開口した筒状に形成されている。この筒体２４１は、ホルダー２２内を挿通して収容体２１の内部２１ａに配置されている。筒体２４１の後端の中央には空気穴２４１ｂが設けられている。
【００２７】
図３に示すように筒体２４１の左右側にはスライド手段２６，２６が配置されている。このスライド手段２６，２６は前後方向Ａに延びて形成されており、上カバー２１１の左右内側面に固定されている。筒体２４１は、このスライド手段２６，２６によって前後方向Ａにスライド自在に支持されている。
【００２８】
図２に示すように接続部２４２は、筒体２４１の後端から後方へ延びて形成されている。この接続部２４２は、筒体２４１と駆動手段本体２５とを接続するものである。
【００２９】
駆動手段本体２５は、モーター２５１と、モーター２５１に接続した駆動伝達部２５０とを備えている。
【００３０】
モーター２５１は、往復部材２４の駆動源となるものである。このモーター２５１は、上カバー２１１の内側に取り付けられている。このモーター２５１には、モーター２５１の駆動を制御するリモコン等の制御装置（図示せず）が接続されている。
【００３１】
駆動伝達部２５０は、モーター２５１の駆動力を往復部材２４に伝達する部分である。この駆動伝達部２５０は、モーター２５１に接続したクランク２５２と、クランク２５２に接続した軸受け２５３と、軸受け２５３に接続したブッシュ２５４とを備えている。
【００３２】
クランク２５２は、クランクレバー２５２ａと、クランクレバー２５２ａの一端部に結合されたクランク軸２５２ｂとを備えている。クランクレバー２５２ａの他端部はモーター２５１の駆動軸２５１ａに接続されている。クランク軸２５２ｂは、クランクレバー２５２ａから下方に延びており、軸受け２５３に接続されている。
【００３３】
軸受け２５３は、図３に示すようにリング状に形成されており、中央にモーター２５１の駆動軸２５１ａが接続されている。また、ブッシュ２５４は楕円環状に形成されており、軸受け２５３の周面を回転可能に保持している。このブッシュ２５４は、往復部材２４の接続部２４２の先端部に結合している。これにより駆動手段本体２５と往復部材２４は接続されている。
【００３４】
図４の（ａ）と（ｂ）を用いて、駆動手段２３の動作を説明する。モーター２５１が回転すると、クランク２５２がモーター２５１の駆動軸２５１ａを中心にして水平方向に回転する。クランク２５２の回転に伴い、軸受け２５３がブッシュ２５４内を回転しながら移動するとともに接続部２４２が前後方向Ａに往復移動する。この接続部２４２の往復移動に伴って筒体２４１も前後方向Ａに往復移動する。
【００３５】
次に、射精促進ユニット３について説明する。図５は、射精促進ユニット３の斜視図である。この射精促進ユニット３は、筒体２４１の前後方向Ａの往復移動（図４参照）を利用してペニスのマッサージを行う部分である。この射精促進ユニット３は、カップ４と、カップ４を装置本体２に固定する固定手段５とを備えている。
【００３６】
最初にカップ４について説明する。カップ４は精液を受けるものである。このカップ４は、図５と図６に示すように、ケース４１と、ケース４１の前面から内部４１ａに収容されたマッサージ部４２と、マッサージ部４２とケース４１との間に介在された２つのスポンジ４３，４４とを備えている。
【００３７】
ケース４１は前面が開口した筒状に形成されている。ケース４１の後端の中央には空気穴４１ｂが設けられている。このケース４１は、筒体２４１の前面から内部２４１ａに着脱自在に収容されている。具体的には、例えば、ケース４１が筒体２４１の内部２４１ａに嵌め込まれることにより着脱自在に固定されている。
【００３８】
マッサージ部４２は前面が開口した筒状に形成されており、シリコン等の樹脂によって伸縮可能に形成されている。このマッサージ部４２は、マッサージ部本体４２１と、マッサージ部本体４２１の前端に結合された伸縮部４２２と、伸縮部４２２の前端に結合された取付部４２３とを備えている。
【００３９】
マッサージ部本体４２１は、ペニスのマッサージ（摺擦）を行う部分である。このマッサージ部本体４２１は、前端が開口した筒状に形成され、ケース４１の内部４１ａの前端部よりも後方側に配置されている。マッサージ部本体４２１の内周面４２１ａは、摺擦力を上げるために襞状に形成されている。
【００４０】
マッサージ部本体４２１の前端と後端には、マッサージ部本体４２１をケース４１に固定するための前側固定部４２４と後側固定部４２５が形成されている。前側固定部４２４はリング状に形成されている。後側固定部４２５は円形状に形成されており、ケース４１の内部４１ａの後端面４１ｃに固定されている。
【００４１】
伸縮部４２２は、筒体２４１の往復移動に伴って前後方向Ａに伸縮する部分である。図６では、伸縮部４２２が縮んだ状態を示している。伸縮部４２２は前後端が開口した筒状に形成され、後端は前側固定部４２４に結合している。伸縮部４２２の前半部４２２ａはケース４１よりも外側に配置されている。前半部４２２ａには前後方向Ａに折り曲げられた折曲部４２２ｃが形成されている。伸縮部４２２の後半部４２２ｂは、ケース４１の内部４１ａの前端部に配置されている。
【００４２】
取付部４２３は、マッサージ部４２を固定手段５に固定する部分である。この取付部４２３は伸縮部４２２の前端に結合され、伸縮部４２２よりも径が大きいリング状に形成されている。取付部４２３の外周縁部４２３ａは前面側が凹んで形成されている。取付部４２３の中央には、ペニスの挿入口４２３ｂが形成されている。
【００４３】
２つのスポンジ４３，４４は、ケース４１の内部４１ａにおいてマッサージ部４２の前側固定部４２４を前後で挟持して配置されている。
【００４４】
前側のスポンジ４３はリング状に形成され、伸縮部４２２の後半部４２２ｂを挿通させてケース４１の内周面４１ｄに接着されている。後側のスポンジ４４は筒状に形成され、マッサージ部本体４２１を挿通させてケース４１の内周面４１ｄに固定されている。
【００４５】
このようにマッサージ部本体４２１は、後側固定部４２５がケース４１に固定されていることに加え、前側固定部４２４が２つのスポンジ４３，４４を介してケース４１に固定されている。
【００４６】
次に、固定手段５について説明する。固定手段５は、図５と図６に示すようにネジ筒５１と、ネジ筒５１の前端部に取り付けられたマッサージ部固定リング５２と、ネジ筒５１の前端部よりも後側の部分で螺合した取付リング５３とを備えている。
【００４７】
取付リング５３は、図６に示すように固定手段５を装置本体２のホルダー２２に固定するものである。この取付リング５３はリング状に形成されており、後端面がホルダー２２の前端面に着脱可能に固定されている。また、図示しないが、取付リング５３の内周面にはネジが設けられている。
【００４８】
ネジ筒５１は、固定手段５の長さを調整するものである。ネジ筒５１は前後端が開口した筒状に形成されている。ネジ筒５１の内部５１ｂにはカップ４が挿通されている。また、ネジ筒５１の後側の部分は、ホルダー２２の凹部２２ａ内に収容されて装置本体２に保持されている。ネジ筒５１の側面にはネジ５１ａが形成されている。このネジ５１ａは、取付リング５３の内周面のネジと螺合している。
【００４９】
マッサージ部固定リング５２は、マッサージ部４２の取付部４２３を挟むことで、取付部４２３を固定手段５に着脱自在に固定するものである。このマッサージ部固定リング５２は、ネジ筒５１の前端に結合した受けリング５２１と、受けリング５２１の下部にヒンジ５２３で回動可能に結合された押さえリング５２２とを備えている。
【００５０】
受けリング５２１は、ネジ筒５１よりも径が大きいリング状に形成されている。受けリング５２１の前面５２１ａには、マッサージ部４２の取付部４２３の外周縁部４２３ａの後面が当接されている。
【００５１】
押さえリング５２２は、受けリング５２１よりも径が大きいリング状に形成されている。押さえリング５２２の後面には凹部５２２ａが全周にわたって形成されている。凹部５２２ａは、マッサージ部４２の取付部４２３の外周縁部４２３ａの前面に当接している。押さえリング５２２の上部には、係合爪５２２ｂが設けられている。この係合爪５２２ｂは受けリング５２１の上部に係脱自在に係合している。
【００５２】
この係合により、マッサージ部４２の取付部４２３は、外周縁部４２３ａが受けリング５２１の前面５２１ａと押さえリング５２２の凹部５２２ａとで解除可能に挟持されている。このようにしてマッサージ部４２は固定手段５に着脱自在に固定されている。
【００５３】
以上のように構成されている射精促進装置１において、図４と図７を用いて使用方法を説明する。なお、図４の（ａ）は図７の（ａ）、図４の（ｂ）は図７の（ｂ）に対応する。
【００５４】
使用者は、ペニス（図示せず）をマッサージ部４２の挿入口４２３ｂから内部４２ａに入れ、制御装置（図示せず）を操作して装置本体２のモーター２５１を駆動する。これにより装置本体２の筒体２４１が前後方向Ａに往復移動する。これに伴い、図４の（ａ）と（ｂ）に示すようにケース４１も前後方向Ａに往復移動する。
【００５５】
このときにマッサージ部４２は、取付部４２３がマッサージ部固定リング５２に固定され、マッサージ部本体４２１がケース４１に固定されている。そのため、ケース４１が前後方向Ａに往復移動すると、マッサージ部４２は、図７の（ａ）と（ｂ）に示すように取付部４２３を基点にして伸縮部４２２が前後方向Ａに伸縮する。
【００５６】
これによりマッサージ部４２は、ペニスを常に内部４２ａに収容した状態で摺擦を行う（マッサージを行う）ことになるので、従来のようにペニスの一部がマッサージ部４２から出てしまうことがない。したがって、ペニス全体を安定してマッサージすることが可能になり、射精に要する時間を短縮することが可能になる。よって、本実施の形態の射精促進装置１は、射精効率を上げることができる。
【００５７】
また、本実施の形態の射精促進装置１では、駆動伝達部２５０に軸受け２５３とブッシュ２５４を使用したので、クランク軸２５２ｂと往復部材２４の接続部２４２との摩擦が軽減され、筒体２４１をスムーズに前後方向Ａに往復移動させることが可能になる。したがって、ペニス全体をさらに安定してマッサージすることが可能になり、射精に要する時間をさらに短縮することが可能になる。よって、本実施の形態の射精促進装置１は、射精効率をさらに上げることができる。
【００５８】
また、本実施の形態の射精促進装置１では、駆動時にマッサージ部４２の伸縮する部分（伸縮部４２２）に折曲部４２２ｃを形成しているため、マッサージ部４２は、伸縮部４２２に折曲部４２２ｃが形成されていない場合に比べて伸縮幅が大きくなる。これにより、マッサージ効率（摺擦効率）を上げることが可能になり、射精に要する時間をさらに短縮することが可能になる。よって、本実施の形態の射精促進装置１は、射精効率をさらに上げることができる。
【００５９】
また、本実施の形態の射精促進装置１では、折曲部４２２ｃの数を１つに設定しているので、折曲部４２２ｃの数が複数の場合に比べると数が少ない分だけ伸縮部４２２をより小さく縮めることができ、マッサージ部４２の伸縮幅がより大きくなる。これにより、マッサージ効率を上げて射精に要する時間をさらに短縮することが可能になる。よって、本実施の形態の射精促進装置１は、射精効率をさらに上げることができる。
【００６０】
また、本実施の形態の射精促進装置１では、マッサージ部４２を収容するケース４１を備え、駆動手段２３がケース４１を前後方向Ａに往復移動させることによりマッサージ部４２を前後方向Ａに伸縮させるようにした。したがって、本実施の形態の射精促進装置１は、マッサージ部４２を直接前後方向Ａに伸縮させる場合に比べて、マッサージ部４２の材質が柔らかいものであってもスムーズに伸縮させることができる。よって、本実施の形態の射精促進装置１は、マッサージ部４２を硬さに関係なく使用することができ、汎用性を高めることができる。
【００６１】
また、本実施の形態の射精促進装置１では、マッサージ部４２の取付部４２３は固定手段５に着脱自在に固定され、固定手段５はホルダー２２を介して収容体２１に着脱自在に固定され、ケース４１は筒体２４１を介して収容体２１に着脱自在に固定されている。したがって、マッサージ部４２を新しいものと交換する場合は以下の通りになる。
【００６２】
最初に、取付リング５３をホルダー２２から外し、続いてカップ４を筒体２４１から抜き出して射精促進ユニット３を装置本体２から外す。
【００６３】
次に、押さえリング５２２の係合爪５２２ｂを受けリング５２１の上部から外す。これにより、双方のリング５２１，５２２によるマッサージ部４２の取付部４２３の挟持状態が解除される。続いてマッサージ部４２をネジ筒５１から抜いてカップ４を固定手段５から外す。
【００６４】
次に、新しいカップ４を用意する。このカップ４をネジ筒５１の後面から内部５１ｂに通して、マッサージ部４２の取付部４２３を受けリング５２１の前面５２１ａに当てる。続いて、押さえリング５２２を回動して双方のリング５２１、５２２で取付部４２３を挟持した状態で押さえリング５２２の係合爪５２２ｂを受けリング５２１の上部に係合して取付部４２３をマッサージ部固定リング５２に固定する。
【００６５】
次に、ケース４１を筒体２４１の内部２４１ａに嵌め込むとともにネジ筒５１をホルダー２２の凹部２２ａに入れる。最後に取付リング５３をホルダー２２に固定してカップ４を収容体２１に固定する。
【００６６】
このように本実施の形態の射精促進装置１では、マッサージ部４２をケース４１に固定した状態で交換することが可能になるので、マッサージ部４２の交換作業を容易に行うことができる。また、この結果、精液の回収効率を上げることができる。
【００６７】
さらに、本実施の形態の射精促進装置１では、ケース４１を着脱自在に収容する筒体２４１を備えているので、筒体２４１を備えていない場合に比べてケース４１の取り外し作業を容易に行うことが可能になる。したがって、本実施の形態の射精促進装置１は、マッサージ部４２の交換作業をさらに容易に行うことができ、精液の回収効率をさらに上げることができる。
【００６８】
さらに、本実施の形態の射精促進装置１では、ケース４１を駆動する部材として、ケース４１を収容した状態で駆動する部材（筒体２４１）を用いたので、ケース４１をスムーズに前後方向Ａに往復移動させることが可能になる。これにより、ペニス全体をさらに安定してマッサージすることが可能になり、射精に要する時間をさらに短縮することが可能になる。よって、本実施の形態の射精促進装置１は、射精効率をさらに上げることができる。
【００６９】
また、本実施の形態の射精促進装置１では、ネジ筒５１を前方へ回すと、図８の（ａ）から（ｂ）へ示すようにネジ筒５１がホルダー２２から前方へ繰り出され、これによりマッサージ部４２が前方へ伸ばされる。逆に、ネジ筒５１を後方へ回すと、図８の（ｂ）から（ａ）へ示すようにネジ筒５１がホルダー２２内に繰り込まれ、マッサージ部４２が後方へ縮められる。
【００７０】
このように本実施の形態の射精促進装置１では、固定手段５を用いてマッサージ部４２の取付部４２３を前後方向Ａに任意に伸縮させて収容体２１に固定するようにした。これにより、ペニスの長さに応じてマッサージ部４２の長さを調整してマッサージを行うことが可能になる。よって、本実施の形態の射精促進装置１は、射精効率を上げ汎用性を高めることができる。
【００７１】
また、本実施の形態の射精促進装置１では、図示しないが、押さえリング５２２の凹部５２２ａの底面に多数の突起が全周にわたって設けられている。この多数の突起により、マッサージ部４２の取付部４２３の外周縁部４２３ａが受けリング５２１の前面５２１ａに強く押しつけられるので、外周縁部４２３ａの挟持力が高まり、外周縁部４２３ａの抜けを防止することができる。
【００７２】
以上、本発明にかかる実施の形態を例示したが、この実施の形態は本発明の内容を限定するものではない。また、本発明の請求項の範囲を逸脱しない範囲であれば、各種の変更等は可能である。
【００７３】
例えば、本実施の形態の射精促進装置１では、マッサージ部４２の前端部（取付部４２３）を固定手段５により収容体２１に固定するようにしたが、マッサージ部４２において収容体２１に固定する位置は前端部に限定しなくても良く、マッサージ部４２の前部側であればどの部分でも良い。
【００７４】
また、本実施の形態の射精促進装置１では、マッサージ部４２をケース４１を用いて間接的に前後方向Ａに伸縮させるようにしたが、マッサージ部４２に直接駆動手段を接続して前後方向Ａに伸縮させるようにしても良い。
【００７５】
また、本実施の形態の射精促進装置１では、マッサージ部４２の前部側を前後方向Ａに任意に伸縮させる、言い換えるとマッサージ部４２の長さを任意に調整する方法として、ねじ機構（ネジ筒５１と取付リング５３）を用いたが、その他の方法としてラック機構を用いても良い。
【００７６】
具体的には、例えば図示しないが、本実施の形態のネジ筒５１のようにマッサージ部４２を内部に通す筒体を用意し、筒体の内周面の上下に前後方向Ａに延びる一対のラックを設ける。収容体２１側（例えばホルダー２２）には、一対のラックと係合する規制部を設ける。この規制部を樹脂で形成して弾力性（バネ力）を持たせることでラックと係脱自在にする。このように構成することにより、筒体を前後方向Ａに移動させてラックと規制部との係合位置を変えることでマッサージ部４２の長さを調整することができる。
【００７７】
また、本実施の形態の射精促進装置１では、折曲部４２２ｃの数を１つに設定したが、複数に設定して伸縮部４２２の側面を蛇腹状に形成しても良い。また、折曲部４２２ｃは必ずしも形成する必要はなく、伸縮部４２２自体の弾力性を利用して伸縮させても良い。
【産業上の利用可能性】
【００７８】
以上説明したように本発明の射精促進装置は、射精効率を上げることができる。したがって、本発明の射精促進装置は、射精促進装置の技術分野で十分に利用することができる。
【符号の説明】
【００７９】
１    射精促進装置
５    固定手段
２１    収容体
２１ａ    内部
２３    駆動手段
４１    ケース
４１ａ    内部
４２    マッサージ部
４２ａ    内部
２４１    筒体
２４１ａ    内部
４２２    伸縮部
４２３    取付部（マッサージ部の前部側）
４２３ｂ    ペニスの挿入口
４２２ｃ  折曲部
Ａ    前後方向
【図１】
2014004292.tif 000003
【図２】
2014004292.tif 000004
【図３】
2014004292.tif 000005
【図４】
2014004292.tif 000006
【図５】
2014004292.tif 000007
【図６】
2014004292.tif 000008
【図７】
2014004292.tif 000009
【図８】
2014004292.tif 000010